(57)【特許請求の範囲】
【請求項１】
カバー体と、該カバー体の底を構成すると共に吸盤が着脱自在に取付く板状部材と、前記カバー体と板状部材とによって回動自在に枢着されたアーム部材とを有し、その板状部材には三角状係合凸部と複数の弾性脚片を一体形成し、上記アーム部材には、吸盤が吸着する固定面に当接して該アーム部材の支持アーム部を垂直または斜め上向きに保持するための突張用ア−ム部と、上記板状部材の三角状係合凸部の両面に係合して上記支持アーム部を斜め上向きに保持するための係止用アーム部とを一体形成し、上記吸盤による吸着固定時に上記弾性脚片によって吸盤の円錐状リップ部外周部を上記弾性脚片によって外方に押圧伸張させるようにしたことを特徴とする水切りハンガー。
【請求項２】
支持アームのアーム部分は伸縮可能なアンテナ構造としたことを特徴とする請求項１の水切りハンガー。
【発明の詳細な説明】
【０００１】
【発明の属する技術分野】
本発明は、内側が濡れているフリーザーバッグや使い終わった牛乳パックの容器を干す場合とか、濡れゴム手袋や綺麗に洗ったズック等を干す場合に使用する水切りハンガーに関する。
【０００２】
【従来の技術】
濡れたフリーザーバッグ等を干す水切りハンガーが実際に存在するかどうかは寡聞にして知らないが、望ましい水切りハンガーとしては、取付面が水平か垂直かの別を問わず、簡便な吸盤の吸着力によって確実強固な固定が可能であること、いずれの場合も、濡れたフリーザーバッグ等を先端に引っ掛けるアームは垂直または斜め上を向いて保持され、よく水が切れるようになっていることである。
【０００３】
【発明が解決しようとする課題】
ところが、弾性材料で作られる吸盤は、取付面にしっかり押さえつけても、手を離すと、吸盤の弾性で圧縮変形の一部は元に戻って取付面から浮き上がり、あるいは長期間使用していると、序々に空気が内部に入るために浮き上がって被固定物をふらつかせ、そのため、特に上記した荷重が上方に加わる使用態様のもとで安定した固定を維持するのは困難である。また、取付面が水平面にも垂直面にも使えるものでなければ不便である。本願発明はかかる課題を解決しようとするものである。
【０００４】
【課題を解決するための手段】
請求項１の発明になる水切りハンガーは、カバー体と、該カバー体の底を構成すると共に吸盤が着脱自在に取付く板状部材と、前記カバー体と板状部材とによって回動自在に枢着されたアーム部材とを有し、その板状部材には三角状係合凸部と複数の弾性脚片を形成し、上記アーム部材には、吸盤が吸着する水平面に当接して該アーム部材の支持アーム部を垂直または斜め上向きに保持するための突張用ア−ム部と、上記板状部材の三角状係合凸部の両面に係合して上記支持アーム部を垂直または斜め上向きに保持するための係止用アーム部とを形成し、上記吸盤による吸着固定時に上記弾性脚片によって吸盤の円錐状リップ部外周部を外方に押圧伸張させるようにしたことを特徴とする。
【０００５】
また、請求項２の発明になる水切りハンガーは、支持アーム部を伸縮可能なアンテナ構造としたことを特徴とするものである。
【０００６】
【発明の実施の形態】
図１は本発明になる水切りハンガーを垂直な取付面に取付けたときの斜視図、図２はその側面図である。図示のように、垂直な取付面に押し付けられ平らになっている吸盤の円錐状リップ部分４ａは、カバー体１に形成した切欠部２から外方に突出している弾性脚片３によって押えつけられている。カバー体１に回動自在に枢着された支持アーム５には係止用アーム部６（図２参照）と突張用アーム部７とが形成されていて、そのうちの係止用アーム部６が、カバー体１に形成した開口部８から外方に突出する三角状係合凸部９の一方の傾斜面に係止することで、支持アーム部５ａ，５ａを斜め上向きになるように保持している。
【０００７】
図３と図４の断面図で、カバー体１の内面と、カバー体１の底を構成する板状部材１０の外周部には、係止用の凹凸部１１，１２が形成されていて、板状部材１０をカバー体１の解放底部側より押し込むことで一体的結合がなされ、その板状部材１０に上記弾性脚片３が一体成形され、また、吸盤取付穴１３が穿設されて吸盤４が着脱自在に取付けられる。アーム部材５はカバー体１と板状部材１０によって回動可能に枢着され、アーム部材５の鍔１４が板状部材３の溝１５に嵌まることでアーム部材５を横方向に移動させなくしている。
【０００８】
図５（Ａ）は、吸盤４を取付面に押付けていない状態で、弾性脚片３は何も働いていない。しかし、吸盤４を取付面に強く押付けるときには、弾性脚片３は円錐状リップ部分４ａの外周部を外側に引き延ばすように上から押さえ付けること、図５（Ｂ）に示したとおりである。
【０００９】
図６と図７は、水平な取付面に取付けたときの斜視図と側面図である。この図７の係止用アーム部６に着目して図２と対比すると、図２のアーム部材５を時計方向に回わして、係止用アーム部６が三角状係合凸部９のもう一方の面に係止可能な状態にしていることがわかる。吸盤４によって水平取付面に吸着固定させると、その水平取付面に突張用アーム部７が当接することによって、支持アーム部５ａ，５ａは垂直または斜め上方を向いた状態に保持されるのである。
【００１０】
アーム部材５の支持アーム部５ａは、図示するを省略したが、伸縮可能な公知のアンテナ構造としてもよい。
【００１１】
【発明の効果】
請求項１の発明によれば、支持アーム部を垂直または斜め上方に向けて保持するには、取付面が水平面の場合には、アーム部材に形成した突張用アーム部を該取付面に当接させることで、取付面が垂直面の場合には係止用アーム部を三角状係合凸部の面に係止させることで可能であり、円滑に水切りができる。また、吸盤による吸着固定時には、弾性脚片によって円錐状リップ部分の外周部を外側に引き延ばすように上から押さえ付けるから、手を離しても、吸盤の弾性で元に戻ることが少なく、吸着力の低減や被固定部材にふらつきを与えることが防止でき、これにより荷重が上方にある使用態様においても安定した固定を長期に亘り確保することが可能である。
【００１２】
請求項２の発明によれば、長いアーム部分は順次縮めることで比較的短い寸法に納めることができるので、パッケージの小形化ができ、運搬・保管時に便利である。
【図面の簡単な説明】
【図１】本発明の水切りホルダーを垂直面に固定したときの斜視図である。
【図２】その側面図である。
【図３】その要部の縦断面図である。
【図４】図３の紙面に対し垂直に切断したときの断面図である。
【図５】（Ａ）は吸盤の吸着前の状態を示す断面図、（Ｂ）は吸盤の吸着後の状態を示す断面図である。
【図６】本発明の水切りホルダーを水平面に固定したときの斜視図である。
【図７】その側面図である。
【符号の説明】
１    カバー体
３    弾性脚片
４    吸盤
４ａ  円錐状リップ部
５    アーム部材
５ａ  支持アーム部
６    係止用アーム部
７    突張用アーム部
９    三角状係合凸部
１０    板状部材
【図１】
0003769830.tif 000002
【図２】
0003769830.tif 000003
【図３】
0003769830.tif 000004
【図４】
0003769830.tif 000005
【図５】
0003769830.tif 000006
【図６】
0003769830.tif 000007
【図７】
0003769830.tif 000008